(57)【要約】【課題】プラグインモジュールを収納部に挿脱する際にプラグインモジュールをガイドするためのガイド機構を、部品点数を増やすことなく低コストで実現できるようにする。【解決手段】プラグインモジュール１０の両側面の側板１３，１４が、上面部１５又は下面部１６の少なくとも一方から突出した突出部１３ａ，１４ａを形成するように構成され、前記プラグインモジュール１０が収納部２０に対して挿脱される際に、前記突出部１３ａ，１４ａにより前記収納部２０に設けられたレール２２に案内されるように構成する。【選択図】図１
2010027759.tif 000002
【特許請求の範囲】
【請求項１】
収納部に対して挿脱可能に構成されたプラグインモジュールであって、
両側面の側板が、上面部又は下面部の少なくとも一方から突出した突出部を形成し、
前記収納部に対して挿脱される際に、当該プラグインモジュールが前記突出部により前記収納部に設けられたレールに案内されるように構成されたことを特徴とする、プラグインモジュール。
【請求項２】
収納部と、前記収納部に対して挿脱可能に構成されたプラグインモジュールとからなる電子装置であって、
前記収納部がレールを備え、
前記プラグインモジュールは、両側面の側板が、上面部又は下面部の少なくとも一方から突出した突出部を形成するように構成され、
前記プラグインモジュールが前記収納部に対して挿脱される際に、前記プラグインモジュールが前記突出部により前記収納部の前記レールに案内されるように構成されたことを特徴とする、電子装置。
【発明の詳細な説明】
【技術分野】
【０００１】
本発明は、収納部と当該収納部に挿脱可能に収納されるプラグインモジュールとを具備する電子装置に関する。
【背景技術】
【０００２】
従来から、収納部（例えばサブラック）と、この収納部に収納されるプラグインモジュールとからなる電気装置がある（例えば特許文献１参照）。
例えば、プラグイン式無線機は、プラグインモジュールとしての無線機本体と、それを収納する収納部としての収納箱とを有する。このようなプラグイン式無線機は、無線機本体と収納箱とコネクタを介した接続を容易にするために、ガイド機能を無線機本体の底面（下面）と天面（上面）に設けている。
【０００３】
図６を参照しながら、従来のプラグイン式無線機１００ａの構成例について説明する。
図６に示す従来のプラグイン式無線機１００ａは、鋳物によって生産されたものである。
無線機本体１０１ａを収納箱１０２に収納する際、無線機本体１０１ａの背面のコネクタ１０３と収納箱１０２の内部のコネクタ１０４との接続を容易にするために、無線機本体１０１ａは凹型形状のガイド１０５ａを天面１０６に設けている。また、無線機本体１０１ａは、その底面１０７にも凹型形状のガイド１０５ｂを設けている。
【０００４】
そして、収納箱１０２は、これらにガイド１０５ａ，１０５ｂに対応する位置にレール１０８ａ，１０８ｂをそれぞれ備えている。なお、これらガイド１０５ａ，１０５ｂ及びレール１０８ａ，１０８ｂがガイド機構として機能する。
つまり、無線機本体１０１ａが収納箱１０２に収納され、コネクタ１０３及び１０４が接続されて無線機本体１０１ａと収納箱１０２とが電気的に接続された状態で、レール１０８ａがガイド１０５ａ内に納まり、レール１０８ｂがガイド１０５ｂ内に収まるように、無線機本体１０１ａ及び収納箱１０２が構成されている。
【０００５】
このような構成により、無線機本体１０１ａが収納箱１０２に挿脱される際には、ガイド１０５ａ，１０５ｂが、それぞれ、レール１０８ａ，１０８ｂに案内される。その結果、無線機本体１０１ａのコネクタ１０３が、収納箱１０２のコネクタ１０４と確実に嵌合されるようにガイドされ、コネクタ１０３とコネクタ１０４との接続が容易になる。
なお、図６及び後述する図７において、符号１０９は無線機本体１０１ａの正面を示し、符号１１０は無線機本体１０１ａの背面を示している。
【０００６】
また、収納箱１０２は、２つの無線機本体１０１ａを収納し得るように構成されており、図示していない無線機本体１０１ａのためのコネクタ１１１とレール１１２ａ，１１２ｂを備えている。
【特許文献１】特開２００７−８１２９０号公報
【発明の開示】
【発明が解決しようとする課題】
【０００７】
ところで、図６に示すような従来の無線機本体１０１ａは、その製作を容易にするために、ガイド１０５ａを設けた天面１０６及びガイド１０５ｂを設けた底面１０７とともに、前面１０９及び背面１１０を一体化し、主に鋳物によってこれら天面１０６，底面１０７，前面１０９，及び背面１１０を製造している。
そのため、無線機本体１０１ａの製作は容易になるが、金型費が別途必要になってしまう。
【０００８】
つまり、鋳物によって天面１０６，底面１０７，前面１０９，及び背面１１０を一体生産する方法は、金型費が必要であり製造コストが嵩むが、製作は容易である。そのため、無線機本体１０１ａの大量生産に適しているが、少量生産には向いていない。
そこで、無線機本体を少量生産する場合には、図７に示すように、無線機本体１０１ｂの天面１０６，底面１０７，前面１０９，及び背面１１０をそれぞれ別個に板金によって製造する場合もある。なお、図７において既述の符号と同一の符号は同一の部分もしくは略同一の部分を示している。
【０００９】
しかし、図７に示すように、無線機本体１０１ｂの天面１０６，底面１０７，前面１０９，及び背面１１０のそれぞれを板金によって独立して製造すると、ガイド１０５ａ，１０５ｂは別工程にて製作する必要があり工数が増加してしまうとともに、製造コストも嵩んでしまう。
例えば、ガイド１０５ａ，１０５ｂの凹状形状の立壁部分１０５ｃは溶接等によって天面１０６や底面１０７に取り付ける場合があり、この場合は加工費及び部品点数が増大してしまう。
【００１０】
このように、無線機本体１０１ｂのように板金によって製作する方法は、金型を作成する必要がないので金型費は不要であるが、分割構造にすることでガイド１０５ａ，１０５ｂを製作するための費用が嵩んでしまうとともに、部品点数も多くなってしまう。
【００１１】
従って、本発明の目的は上記した課題を解決し、プラグインモジュールを収納部に挿脱する際にプラグインモジュールをガイドするためのガイド機構を、部品点数を増やすことなく低コストで実現できるようにすることにある。
【課題を解決するための手段】
【００１２】
上記した課題を解決するため、本発明に係るプラグインモジュール及び電子装置は、プラグインモジュールの両側面の側板が、上面部又は下面部の少なくとも一方から突出した突出部を形成するように構成され、前記プラグインモジュールが収納部に対して挿脱される際に、前記プラグインモジュールが前記突出部により前記収納部に設けられたレールに案内されるように構成する。
【発明の効果】
【００１３】
本発明に係るプラグインモジュール及び電子装置によれば、プラグインモジュールの両側面の側板を、上面部又は下面部の少なくとも一方から突出した突出部を形成するように構成するだけで、部品点数を増やすことなく低コストでプラグインモジュールにガイド機構を設けることができる。
【発明を実施するための最良の形態】
【００１４】
以下、本発明に係る電子装置を実施するための最良の形態について、図面を参照して説明する。
【００１５】
〔１〕本発明の一実施形態について
図１は、本発明の一実施形態に係る電子装置としてのプラグイン式無線機１の構成を示す斜視図である。
プラグイン式無線機１は、プラグインモジュールとしての無線機本体１０と、収納部としての収納棚２０とを備えている。
【００１６】
無線機本体１０は、収納棚２０に対して挿脱可能に構成されている。無線機本体１０が収納棚２０に収納されると、無線機本体１０の背面部１１に設けられたコネクタ１２が、収納棚２０の内部に設けられたコネクタ２１に接続される。これにより、無線機本体１０と収納棚２０とはコネクタ１２，２１を介して電気的に接続される。
そして、無線機本体１０と収納箱２０とのコネクタを介した接続を容易にするために、無線機本体１０及び収納棚２０にはガイド機能が設けられている。
【００１７】
無線機本体１０は、内部の電子回路基板（図示略）を保護・保守するために両側面に側板１３，１４を備えている。なお、側板１３，１４はねじによって取り付け／取り外しが可能である。
そして、両側面の側板１３，１４は、上面部１５から上方に突出した突出部（立壁部）１３ａ，１４ａをそれぞれ形成するように構成されている。
【００１８】
上面部１５は、図２に示すように背面１１と下面部１６と一体構造になっており、板状部材１７によって実現されている。つまり、板状部材１７は板状の部材をコの字状に折り曲げ加工することによって、背面１１，上面部１５，及び下面部１６として機能している。
ここで、上面部１５とは両側板１３，１４に挟まれた無線機本体１０の上面部分をいう。
【００１９】
これと同様に、図３に示すように、下面部１６は両側板１３，１４に挟まれた無線機本体１０の下面部分をいう。
さらに、両側面の側板１３，１４は、下面部１６から下方に突出した突出部１３ｂ，１４ｂをそれぞれ形成するように構成されている。
【００２０】
つまり、側板１３，１４の縦方向（上面部１５及び下面部１６に対して垂直方向）の寸法が、上面部１５と下面部１６との距離よりも長く、側板１３，１４は上面部１５及び下面部１６のそれぞれよりも突出している。これにより、突出部１３ａ，１３ｂ，１４ａ，１４ｂが形成される。
このような構成により、無線機本体１０の上面には上面部１５を底面とし、突出部１３ａ，１４ａを立壁部とする凹状のガイド部分が構成される。
【００２１】
同様に、無線機本体１０の下面には下面部１６を底面とし、突出部１３ｂ，１４ｂを立壁部とする凹状のガイド部分が構成される。
なお、図４に示すように、無線機本体１０の正面１８には、操作部１８ａが設けられている。
収納箱２０は、図１に示すように、上面部１５及び下面部１６に対応する位置のそれぞれに、ガイド機構としてのレール２２，２３を備えている。
【００２２】
これにより、図５に示すように、無線機本体１０が収納箱２０に収納され、コネクタ１２及びコネクタ２１が接続されて無線機本体１０と収納箱２０とが電気的に接続された状態で、レール２２が突出部１３ａ，１４ａ及び上面部１５によって形成された凹状のガイド部分内に納まり、レール２３が突出部１３ｂ，１４ｂ及び下面部１６によって形成された凹状のガイド部分内に納まる。
【００２３】
従って、レール２２，２３の幅は、それぞれ、突出部１３ａ，１４ａの対向面間の距離、または、突出部１３ｂ，１４ｂの対向面間の距離よりも僅かに小さく構成されていることが好ましい。
このような構成により、無線機本体１０が収納箱２０に挿脱される際には、突出部１３ａ，１３ｂ，１４ａ，１４ｂが、それぞれ、レール２２，２３に確実に案内される。つまり、無線機本体１０が突出部１３ａ，１３ｂ，１４ａ，１４ｂにより収納部２０のレール２２，２３に案内される。
【００２４】
例えば、無線機本体１０を収納箱２０に挿入する際、突出部１３ａ，１４ａ及び上面部１５によって形成された凹状のガイド部分にレール２２を挿入するとともに、突出部１３ｂ，１４ｂ及び下面部１６によって形成された凹状のガイド部分にレール２３を挿入する。そして、無線機本体１０をそのまま収納箱２０内に押し込むことにより、無線機本体１０がガイドされ、コネクタ１２とコネクタ２１との接続を確実且つスムーズ（容易）に行うことができる。
【００２５】
なお、収納箱２０は、２つの無線機本体を収納し得るように構成されており、図示していない無線機本体のためのコネクタ２４とレール２５，２６を備えている。
また、図１〜図４に示すように、板状部材１７はねじによって他の部材と結合されている。そのねじは皿ねじ等、ねじの頭部が突出しないように構成されていることが好ましい。これによりレール２２，２３が上記ガイド部分に挿入される際に、レール２２，２３がねじに接触することを回避でき、その結果、無線機本体１０を収納箱２０にスムーズに収納できる。
【００２６】
このように、本発明の一実施形態に係るプラグイン式無線機１によれば、無線機本体１０の両側面の側板１３，１４が、上面部１５及び下面部１６から突出した突出部１３ａ，１３ｂ，１４ａ，１４ｂを形成し、収納棚２０に対して挿脱される際に、無線機本体１０が突出部１３ａ，１３ｂ，１４ａ，１４ｂにより収納棚２０のレール２２，２３に案内されるように構成されている。そのため、無線機本体１０を収納棚２０に挿脱する際に無線機本体１０をガイドするためのガイド機構を、部品点数を増やすことなく低コストで実現できる。つまり、側板１３，１４の高さを、上面部１５と下面部１６との距離よりも高くして突出部１３ａ，１３ｂ，１４ａ，１４ｂを構成するだけで、ガイド機構を実現できる。その結果、製造コストが嵩むことはなく、安価にガイド機構を実現できる。
【００２７】
また、上述した図７に示す従来技術のように、ガイド機構（ここでは凹状のガイド部分）を実現するために上面部１５や下面部１６に溶接により立壁部を設けるなど、特別な加工を施す必要がなくなる。そのため、背面１１，上面部１５，及び下面部１６を、一つの板状部材１７を折り曲げ加工することによって実現でき、加工費及び部品点数を低減できる。
これにより、プラグイン式無線機１を少量生産する場合であっても、金型が不要な板金による製作でありながら、部品点数や製造コストを低減できる。さらに、大量生産する場合でも金型を製造する必要がないので、低コスト化に寄与できる。
【００２８】
〔２〕その他
なお、本発明は上述した実施形態に限定されるものではなく、本発明の趣旨を逸脱しない範囲で種々変形して実施することができる。
例えば、上述した実施形態では、プラグインモジュールとしての無線機本体１０が２つ収納棚２０に収納される場合を例にあげて説明した。しかし、本発明はこれに限定されるものではなく、収納棚２０に収納される無線機本体１０の数は限定されない。
【００２９】
また、上述した実施形態では、電子装置がプラグイン式無線機１であり、プラグインモジュールが無線機本体１０である場合を例にあげて説明した。しかし、本発明はこれに限定されるものではなく、電子装置はプラグイン式無線機に限定されず、プラグインモジュールは、収納棚２０内に収納されるモジュールであればよい。
さらに、上述した実施形態では、突出部１３ａ，１３ｂ，１４ａ，１４ｂが、側板１３，１４の全長（幅）もしくは略全長に渡って形成された場合を例にあげて説明した。しかし、本発明はこれに限定されるものではなく、突出部１３ａ，１３ｂ，１４ａ，１４ｂによって無線機本体１０がレール２２，２３にガイドされるのであれば、突出部１３ａ，１３ｂ，１４ａ，１４ｂは側板１３，１４の一部分、あるいは、間隔を空けて複数形成されてもよい。これによっても上述した実施形態と同様の作用効果を得ることができる。
【００３０】
なお、上述した実施形態では、上面部１５及び下面部１６の両方に突出部１３ａ，１３ｂ，１４ａ，１４ｂが設けられ、それに対応して２つのレール２２，２３が収納棚２０に設けられた場合を例にあげて説明した。しかし、本発明はこれに限定されるものではなく、上面部１５又は下面部１６の少なくとも一方に突出部１３ａ，１３ｂ，１４ａ，１４ｂが形成されていればよい。これによっても無線機本体１０は挿脱時にガイドされることになり、上述した実施形態と同様の作用効果を得ることができる。
【００３１】
また、上述した実施形態では、板状部材１７によって背面１１，上面部１５，及び下面部１６が実現される場合を例にあげて説明した。しかし、本発明はこれに限定されるものではなく、上面部１５及び下面部１６に特別な加工を施す必要がないので、一つの板状部材１７を折り曲げ加工することによって、背面１１，上面部１５，下面部１６，及び前面１８を実現することができる。これにより部品点数をより低減でき、製造コストの低減により寄与できる。
【図面の簡単な説明】
【００３２】
【図１】本発明の一実施形態に係る電子装置の構成を示す斜視図である。
【図２】本発明の一実施形態に係る電子装置のプラグインモジュールを背面からみた斜視図である。
【図３】本発明の一実施形態に係る電子装置のプラグインモジュールを底面からみた斜視図である。
【図４】本発明の一実施形態に係る電子装置のプラグインモジュールを正面からみた斜視図である。
【図５】本発明の一実施形態に係る電子装置のプラグインモジュールが収納部に収納された状態を説明するための背面図である。
【図６】従来のプラグイン式無線機の構成例を示す図である。
【図７】従来のプラグイン式無線機の構成例を示す図である。
【符号の説明】
【００３３】
１：プラグイン式無線機（電子装置）
１０：無線機本体（プラグインモジュール）
１１：背面
１２，２１，２４：コネクタ
１３，１４：側面（側板）
１３ａ，１３ｂ，１４ａ，１４ｂ：突出部
１５：上面部
１６：下面部
１７：板状部材
１８：正面
１８ａ：操作部
２０：収納棚（収納部）
２２，２３，２５，２６：レール
１００ａ，１００ｂ：プラグイン式無線機
１０１ａ，１０１ｂ：無線機本体
１０２：収納箱
１０３，１０４，１１１：コネクタ
１０５ａ，１０５ｂ：ガイド
１０５ｃ：立壁部
１０６：天面
１０７：底面
１０８ａ，１０８ｂ，１１２ａ，１１２ｂ：レール
１０９：正面
１１０：背面
【図１】
2010027759.tif 000003
【図２】
2010027759.tif 000004
【図３】
2010027759.tif 000005
【図４】
2010027759.tif 000006
【図５】
2010027759.tif 000007
【図６】
2010027759.tif 000008
【図７】
2010027759.tif 000009